(57)【要約】【課題】 施療者の身体側部と肩部とを施療可能とする施療機において、それら身体側部及び肩部に対する夫々の施療における相乗的な効果をもたらす事が可能な施療機を提供する。【解決手段】座部１１ａと背当て部１２ａからなり、背当て部１２ａの左右両側に前方に向かって突出した側壁部２ａと、該側壁部２ａの上部から幅方向中心に向かって突起する突起体２２ａを夫々備え、側壁部２ａ及び突起体２２ａに夫々膨縮袋４ａを設けた施療機１ａであり、突起体２２ａの膨縮袋４ａにより施療者の少なくとも肩部を施療または保持する事が可能な構成となっている。側壁部２ａや、また側壁部２ａに対して突起体２２ａを可動させて、施療者個人の身長差や要望等に適応するようにし、更に突起体２２ａにおける施療を行わない場合は、突起体２２ａが施療者の肩部に当接しないよう収納状態にする事ができる。【選択図】 図１
2011115657.tif 000002
【特許請求の範囲】
【請求項１】
施療者の臀部または大腿部が当接する座部と、人体背部が当接する背当て部を有し、該背当て部の左右両側に前方に向かって突出した側壁部を夫々備えると共に各側壁部に膨縮袋を設け、空気の給排気により各膨縮袋を膨縮または膨張保持させて施療者の身体の左右両側を施療または保持する事ができるようにした施療機において、該施療機の各側壁部に、その上部から背当て部の幅方向中心に向かって突出する突起体を夫々設けると共に各突起体に膨縮袋を設け、空気の給排気により各膨縮袋を膨縮または膨張保持させて施療者の少なくとも肩部を施療または保持する事ができるよう構成した事を特徴とする施療機。
【請求項２】
前記突起体は前記側壁部に対し可動する事を特徴とする請求項１記載の施療機。
【請求項３】
前記突起体の前記側壁部に対する可動は、空気の給排気により膨縮する膨縮袋による事を特徴とする請求項１及び請求項２記載の施療機。
【請求項４】
前記突起体は人体に当接しないよう収納状態にしておく事が可能である事を特徴とする請求項１乃至請求項３記載の施療機。
【請求項５】
前記左右の側壁部は、前記背当て部の幅方向において可動する事を特徴とする請求項１乃至請求項４記載の施療機。
【請求項６】
前記左右の側壁部は、前記背当て部の長さ方向において可動する事を特徴とする請求項１乃至請求項５記載の施療機。
【発明の詳細な説明】
【技術分野】
【０００１】
本発明は、施療者の身体側部及び肩部を施療する事ができると共に、身体側部及び肩部に対する夫々の施療における相乗的な効果をもたらす事が可能な施療機に関するものである。
【背景技術】
【０００２】
従来より、空気の給排気により膨縮する膨縮袋等を、施療者が背部を当接させるための背当て部に設けて、身体背中を後方から施療したり、またはその左右側部を施療したりする事が可能な施療機としては、椅子型やマット型の他携帯型等のような施療機が多数存在する。
【０００３】
例えば、椅子型の施療機としては、図１４に示すような座部２、背凭れ部（背当て部）３、フットレスト（足載せ部）４からなるマッサージ機（施療機）１があり、着座した施療者の身体背中に対して後方から機械的刺激を与える施療子６を左右に備えたマッサージ機構５を該背凭れ部３に備え、該マッサージ機構５は背凭れ部３の長さ方向において昇降するようになっている。
【０００４】
また、前記マッサージ機１は、背凭れ部３の左右両側に、夫々前方に延設された部分（側壁部）を有しており、この部分の内側に設けた空気袋（膨縮袋）３ｆにより、施療者の上腕部及び肩の側部を押圧施療する事ができるよう構成している。
【０００５】
更に、前記マッサージ機構５の移動上限位置より上方の部分には、被施療者の頸部の側部及び肩の上部に後方から押圧して刺激を与えるための空気袋（膨縮袋）３ｇが設けられ、それらの施療部位を押圧施療する事ができるようにしている。
【先行技術文献】
【特許文献】
【０００６】
【特許文献１】特開２００３−２６００９９号公報（第９頁、図２）
【発明の概要】
【発明が解決しようとする課題】
【０００７】
ところで、前記のような従来の施療機は、背当て部の左右側壁部にある膨縮袋による施療者の上腕や肩などの身体側部に対する施療を実施しながら、他の膨縮袋によって肩の上部を後方から押圧して施療する場合、肩位置の膨縮袋が後方から押圧する事で、施療者の身体上方が背当て部の前方へ押し出されてしまい、その結果、左右側壁部の膨縮袋による施療位置がずれて、的確な身体側部に対する施療を実施する事が困難であった。
【０００８】
また、施療者の肩位置には個人差があり、身長が比較的大きな施療者にとって、例えば肩部を施療する膨縮袋が肩甲骨の下部に位置したり、また身長が比較的小さな施療者は、該膨縮袋が肩部に届かなかったりして、快適な施療を施す事ができないという問題もあった。
【０００９】
そこで、本発明は、上記問題点を解消する為に成されたものであり、施療者の身体側部及び肩部を施療する事ができると共に、身体側部及び肩部に対する夫々の施療における相乗的な効果をもたらす事が可能な施療機を提供する事を目的とするものである。
【課題を解決するための手段】
【００１０】
すなわち、本発明の施療機は、施療者の臀部または大腿部が当接する座部と、人体背部が当接する背当て部を有し、該背当て部の左右両側に前方に向かって突出した側壁部を夫々備えると共に各側壁部に膨縮袋を設け、空気の給排気により各膨縮袋を膨縮または膨張保持させて施療者の身体の左右両側を施療または保持する事ができるようにした施療機において、該施療機の各側壁部に、その上部から背当て部の幅方向中心に向かって突出する突起体を夫々設けると共に各突起体に膨縮袋を設け、空気の給排気により各膨縮袋を膨縮または膨張保持させて施療者の少なくとも肩部を施療または保持する事ができるよう構成したものである。
【００１１】
また、本発明の施療機は、前記突起体が前記側壁部に対し可動するようにした事を特徴としている。
【００１２】
また、本発明の施療機は、前記突起体の前記側壁部に対する可動は、空気の給排気により膨縮する膨縮袋によるものとした事を特徴としている。
【００１３】
更に、本発明の施療機は、前記突起体が人体に当接しないよう収納状態にしておく事を可能にした事を特徴としている。
【００１４】
更に、本発明の施療機は、前記左右の側壁部は、前記背当て部の幅方向において可動するよう構成した事を特徴としている。
【００１５】
更にまた、本発明の施療機は、前記左右の側壁部は、前記背当て部の長さ方向において可動するようにした事を特徴としたものである。
【発明の効果】
【００１６】
よって、本発明の施療機は、施療者の臀部または大腿部が当接する座部と、人体背部が当接する背当て部を有し、該背当て部の左右両側に前方に向かって突出した側壁部を夫々備えると共に各側壁部に膨縮袋を設け、空気の給排気により各膨縮袋を膨縮または膨張保持させて施療者の身体の左右両側を施療または保持する事ができるようにした施療機において、該施療機の各側壁部に、その上部から背当て部の幅方向中心に向かって突出する突起体を夫々設けると共に各突起体に膨縮袋を設け、空気の給排気により各膨縮袋を膨縮または膨張保持させて施療者の少なくとも肩部を施療または保持する事ができるようした構成のものであるため、前記左右の側壁部に設けた膨縮袋によって、施療者の身体の左右両側を施療すると共に、前記側壁部に設けた前記左右の突起体の膨縮袋により、施療者の肩部を施療する事ができる。また、前記側壁部の膨縮袋によって、施療者の身体の左右両側をしっかりと保持しながら、前記突起体の膨縮袋により、施療者の肩部を効果的に施療する事ができる。さらに、前記突起体の膨縮袋により施療者の肩部をしっかり保持した場合には、前記側壁部の膨縮袋によって、施療者の身体の左右両側を効果的に施療する事ができる。このように、本発明の施療機は、身体側部及び肩部に対する夫々の施療における相乗的な効果をもたらす事ができるのである。
【００１７】
また、前記背当て部に他の膨縮袋や施療子などを設けた構成であれば、前記側壁部や前記突起体の膨縮袋により保持する事により、前記背当て部における背部からの施療を効果的に実施する事ができる。
【００１８】
更に、施療機が椅子型の場合、前記背当て部に施療者が凭れる時に、前記左右の突起体の膨縮袋が収縮した状態であれば身体をその内部に納め易くなる。
【００１９】
また、本発明の施療機は、前記突起体は前記側壁部に対し可動する構成のものであるため、施療者の肩位置の個人差や所望に応じて突起体の位置を調節する事ができる。
【００２０】
また、本発明の施療機は、前記突起体の前記側壁部に対する可動は、空気の給排気により膨縮する膨縮袋によるものとするため、前記側壁部や前記突起体に設けた前記膨縮袋と同じ動力源を使用して構造の簡素化を図れる。
【００２１】
更に、本発明の施療機は、前記突起体は人体に当接しないよう収納状態にしておく事が可能な構成のものであるため、前記左右の突起体に設けた前記膨縮袋による施療や保持を行わない場合に、不必要に突起体が施療者に当接して不快感をもたらす事を回避でき、また、施療機が椅子型の場合には、前記背当て部に凭れようとする施療者の障害とならないようにする事ができる。
【００２２】
更に、本発明の施療機は、前記左右の側壁部は、前記背当て部の幅方向において可動するような構成にしているため、身体側部に対する施療感または保持感を調節したり、前記側壁部の前記膨縮袋の施療または保持の最中に、左右の側壁部を動かしたりする場合は、人体に対する前記膨縮袋による施療感や保持感を調節する事ができ、更に、側壁部を一定の周期で幅方向において移動するよう繰り返す事により、嘗てなかった新たな施療感または保持感をもたらす事になる。
【００２３】
更にまた、本発明の施療機は、前記左右の側壁部は、前記背当て部の長さ方向において可動するようにした構成のものであるため、施療者が所望する突起体の高さ位置となるよう調節が可能であり、また、前記突起体に設けた前記膨縮袋の施療または保持の最中に、左右の側壁部を動かした場合は、人体に対する前記膨縮袋による施療感や保持感を調節する事ができ、更に、側壁部を一定の周期において上下移動するよう繰り返すならば、嘗てなかった新たな施療感または保持感をもたらす事になる。
【図面の簡単な説明】
【００２４】
【図１】本発明の施療機の一実施形態を示す斜視図である。
【図２】本発明の施療機の一実施形態を示す使用状態図である。
【図３】本発明の施療機の一実施形態を示す右側面図である。
【図４】本発明の施療機の一実施形態を示す右側面図である。
【図５】本発明の施療機の背当て部及び側壁部の一実施形態を示す断面説明図である。
【図６】本発明の施療機の背当て部及び側壁部の一実施形態を示す断面説明図である。
【図７】本発明の施療機の背当て部及び側壁部の一実施形態を示す断面説明図である。
【図８】本発明の施療機の背当て部、側壁部、突起体の一実施形態を示す正面説明図である。
【図９】本発明の施療機の背当て部、側壁部、突起体の一実施形態を示す正面説明図である。
【図１０】本発明の施療機の背当て部、側壁部、突起体の一実施形態を示す正面説明図である。
【図１１】本発明の施療機の背当て部、側壁部、突起体の一実施形態を示す正面説明図である。
【図１２】本発明の施療機の背当て部、側壁部、突起体の一実施形態を示す正面説明図である。
【図１３】本発明の施療機の背当て部、側壁部、突起体の一実施形態を示す正面説明図である。
【図１４】従来技術を示す参考図である。
【発明を実施するための形態】
【００２５】
以下に、本発明の施療機を、図面に示す一実施形態に基づきこれを詳細に説明する。図１は本発明の施療機の一実施形態を示す斜視図であり、図２は本発明の施療機の一実施形態を示す使用状態図であり、図３及び図４は本発明の施療機の一実施形態を示す右側面図であり、図５乃至図７は本発明の施療機の背当て部及び側壁部の一実施形態を示す断面説明図であり、図８乃至図１３は本発明の施療機の背当て部、側壁部、突起体の一実施形態を示す正面説明図であり、図１４は従来技術を示す参考図である。
【００２６】
すなわち、本発明の施療機は、少なくとも施療者の臀部または大腿部が当接する座部と、人体背部が当接する背当て部を設けてなるものであり、図１及び図２の実施形態で示したものは、それら座部１１ａと、該座部１１ａの後側にリクライニング可能に連結する背当て部１２ａに加えて、該座部１１ａの前側に上下方向へ揺動可能に連結した足載せ部１３ａとから椅子型に構成した施療機１ａであり、前記座部１１ａの両側に肘掛け部１４ａを立設すると共に、前記背当て部１２ａの左右両側に前方に向かって突出した側壁部２ａを夫々配設している。
【００２７】
図１に示すように、前記背当て部１２ａには、その中央部に左右一対の施療子３１ａを備えた昇降自在の施療子施療機構３ａを設けている。該施療子施療機構３ａは、背当て部１２ａの内部左右に設けた左右一対のガイドレール３２ａに沿って背当て部１２ａの上端から下端にかけて昇降するようにしている。
【００２８】
前記左右一対の施療子３１ａは、モータ等を駆動源とした機械式の施療機構であり、前記背当て部１２ａに凭れた施療者の首部、背部、腰部、臀部等の背面全域を、たたき、揉み、ローリング、振動、指圧などの多様な形態で施療するようにしたものである。
【００２９】
また、前記施療機１ａの各所定の位置には、空気の給排気により膨縮を繰り返す事が可能な膨縮袋４ａを夫々埋設している。該膨縮袋４ａは、エアーコンプレッサー及び各膨縮袋４ａに空気を分配するための分配器等からなる空気給排装置４１ａによる給排気により膨縮動作を行うようにしており、該空気給排装置４１ａは前記座部１１ａの下部空間に配備している。
【００３０】
前記空気給排装置４１ａによる各前記膨縮袋４ａの膨縮動作によって、施療者の所定の施療部位を押圧、指圧等を実施する事ができ、対となるよう複数の膨縮袋４ａを対設させるならば、挟圧等の施療も行う事ができる。また膨縮袋４ａを膨張状態に保つ場合は、施療者の所定の部位を一定の時間保持する事も可能としている。
【００３１】
また、前記施療機１ａは、前記背当て部１２ａの左右側において、上部、中部、下部に夫々膨縮袋４ａを設けており、施療者の背中及び腰部を押圧、または左右両側から挟圧するような施療を行うよう構成している。図１の場合、中部の左右各膨縮袋４ａは左右上腕或いはその付近の左右背中の位置にくるように、また上部の左右各膨縮袋４ａは左右肩甲骨付近の位置にくるように夫々配設している。
【００３２】
また、前記座部１１ａには、後部側に臀下部用、また腿部用の膨縮袋４ａを夫々埋設して、主に下方から上方に押圧する施療を行うようにしている。
【００３３】
前記足載せ部１３ａは、人体の脛部及び足先部を夫々嵌入させる左右一対の凹部を夫々形成したものであり、各凹部に膨縮袋４ａを左右一対として対設するよう配設させて、凹部内部で人体の脛部及び足先部に対する挟圧施療を実施するようにしている。
【００３４】
前記左右の肘掛け部１４ａの上部には、人体の手や前腕を嵌入保持して施療するための凹部を形成する腕保持部１５ａを設けており、図１の場合、該腕保持部１５ａの内部において、上下に各膨縮袋４ａを夫々対設するよう配設し、凹部内部で人体の手や前腕に対する挟圧施療を実施するようにしている。
【００３５】
前記左右の側壁部２ａは、座部１１ａに着座した施療者の肩または上腕側方となる位置に配設しており、図１及び図５に示すように、該左右の側壁部２ａの内側面には夫々左右方向に重合した膨縮袋４ａを並列状態に埋設している。これら重合した膨縮袋４ａ・４ａはその基端部のみを側壁部２ａの基端部に取り付けているため、膨張時には重合した膨縮袋４ａ・４ａが扇状に広がって施療者の身体側部を挟圧しつつ、身体前方まで覆うようになる。
【００３６】
よって、前記左右側壁部２ａの前記膨縮袋４ａは、膨縮動作により身体側部を施療する事ができるだけでなく、一定の時間において膨張状態を保つならば、施療者の身体が前記背当て部１２ａから離れないようにしっかりと保持する事ができ、図５に示すように施療者の身体を固定したままの状態で前記施療子施療機構３ａの前記施療子３１ａによる背部からの施療を効果的に受ける事が可能となるのである。
【００３７】
更に前記施療機１ａには、図１及び図２に示すように、前記左右の側壁部２ａの上部から幅方向中心に向かって突起する突起体２２ａを夫々設けており、該各突起体２２ａには人体肩部の上面やその前面に対して施療または保持するための膨縮袋４ａを夫々配設している。
【００３８】
前記各突起体２２ａに設けた前記各膨縮袋４ａは、図８に示すように重合状にして膨縮幅が大きくなるようにする事ができる。このように構成した各膨縮袋４ａは、人体肩部の上面やその前面までも覆うような仕方で大幅に膨張するのである。
【００３９】
よって、前記各突起体２２ａの前記各膨縮袋４ａは、人体肩部の上面やその前面を施療する事ができると共に、膨張状態を一定期間保つ事によりそれらの人体部位を前記背当て部１２ａにおいてしっかり保持する事が可能となり、その状態で前記施療子施療機構３ａの前記施療子３１ａによる背部からの肩部周辺の施療を効果的に実施する事が可能となるのである。
【００４０】
図３に示すのは、前記突起体２２ａを備えた左右の側壁部２ａを前記背当て部１２ａの長さ方向において上下に可動させて、施療者が所望する突起体２２ａの高さ位置となるよう調節を可能とした構成であり、このようにして施療者個人の身長差に対応したものである。
【００４１】
そのため、前記左右の側壁部２ａの基部には、夫々側壁可動部２１ａを設けている。図３の場合は、前記背当て部１２ａの長さ方向に沿って移動するようにしたものである。
【００４２】
前記背当て部１２ａにおける前記左右の側壁部２ａの移動は、手動で行って施療者が所望する位置で係止するようにしてもよいし、またはモータなどを使用した自動で行われるようにしてもよい。
【００４３】
更に、前記背当て部１２ａにおける前記左右の突起体２２ａの適正な高さ位置の調節が自動的になされるようにするため、突起体２２ａの適所に図示しないが感圧センサを設け、背当て部１２ａに当接した施療者の上方から前記左右の側壁部２ａにモータを使用する。このような構成により、突起体２２ａが自動で降下させてゆき、突起体２２ａが施療者の肩部上面に接する事で該感圧センサが一定の圧力を感知した時に、該モータの回転を停止させるように構成する事ができる。
【００４４】
尚、前記突起体２２ａの前記感圧センサが人体肩部上面からの一定の圧力を感知した直後に、必要に応じて上方に一定の距離を移動させてもよい。このようにするならば、突起体２２ａに設けた前記膨縮袋４ａによる施療や保持を行わない時に、該突起体２２ａが施療者の肩に不必要に当接して不快感をもたらす事を回避できる。
【００４５】
また、前記突起体２２ａに設けた前記膨縮袋４ａの施療または保持の最中に、左右の側壁部２ａを上記の方法で動かすならば、人体に対する施療感や保持感を調節する事ができる。例えば、強い施療または保持を行うのであれば、側壁部２ａを下方に移動させて突起体２２ａにより人体肩部の上面や前面に対する圧力を増加させる事ができる。
【００４６】
更に、前記背当て部１２ａにおける前記左右の側壁部２ａの移動をモータで行うと共に、一定の周期において上下移動を繰り返すならば、さらに新たな施療感または保持感をもたらす事になる。
【００４７】
前記左右の突起体２２ａに設けた前記膨縮袋４ａによる施療や保持を行わない場合は、該突起体２２ａが人体に当接しないように最上部に位置させて収納状態にしておく事ができる。
【００４８】
図４に示すのは、前記左右の側壁部２ａに設けた前記左右の突起体２２ａを突起体可動部２２１ａにより前後方向に夫々回動するようにした構成のものである。このようにする事で、施療者の肩部上面から前面の人体胸部付近にかけて、突起体２２ａの位置を施療者の所望に応じて調節する事ができる。尚、手動かモータなどを使用する自動かは問わず、適宜移動機構を使用すればよい。
【００４９】
図６及び図７に示すのは、前記左右の側壁部２ａを幅方向において、側壁可動部２１ａにより回動するようにした構成のものである。この構成において、側壁部２ａの膨縮袋４ａの施療または保持の最中に、左右の側壁部２ａを幅方向に回動させるならば、人体に対する施療感や保持感を調節する事ができる。例えば、強い施療または保持を行うのであれば、側壁部２ａを幅方向内側に回動移動させて、上腕または肩部の側面や上面に対する圧力を増加させる事ができる。
【００５０】
また、前記背当て部１２ａにおける前記左右の側壁部２ａの移動をモータ、または図７で示したような可動用膨縮袋２１１ａの膨縮で行うと共に、一定の周期において左右回動移動を繰り返すならば、さらに新たな施療感または保持感をもたらす事になる。
【００５１】
更に図７で示す状態においては、突起体２２ａが、側壁可動部２１ａの回動動作により前記左右の側壁部２ａとともに施療者の前方側に位置することになるので、施療者の前方側から肩部上方を覆うような形態で突起体２２ａに設けた膨縮袋４ａによる施療または保持を行い、同時に、側壁部２ａの内側面に設けた膨縮袋４ａによる上腕及び肩部の側面への施療または保持、背当て部１２ａに設けた膨縮袋４ａによる背中及び腰部の押圧若しくは左右両側からの挟圧施療、施療子施療機構３ａの施療子３１ａによる背部からの肩部周辺施療を行うことで、相乗的かつ効果的に施療者の身体側部及び肩部の全領域を施療する事が可能となる。
【００５２】
図８の構成は、前記側壁部２ａと前記突起体２２ａとを分離させた構成であり、側壁部２ａに対する突起体２２ａの上下位置関係を変更したり、または、側壁部２ａの上下位置を変更せず突起体２２ａのみで施療者の所望する肩位置に該突起体２２ａがくるように調節する事ができるようにしている。図面では突起体可動部２２１ａを設けているが手動及び自動を問わない。
【００５３】
図８のように構成する事により、例えば前記左右の側壁部２ａにより施療者の所望する施療または保持の位置を変えずに、前記左右の突起体２２ａのみの高さ位置を変更する事ができるので、突起体２２ａに設けた膨縮袋４ａによる人体肩部の上面や前面への施療時における当接力を変化させることができる。また、前記左右の突起体２２ａに設けた前記膨縮袋４ａによる施療や保持を行わない場合は、該突起体２２ａが肩部に当接しないように最上部に位置させて収納状態にしておく事もできる。
【００５４】
前記背当て部１２ａにおける前記左右の突起体２２ａの適正な高さ位置の調節が自動的になされるようにするため、突起体２２ａの適所に前述したような感圧センサ（図示せず）を設けてもよい。また、前述したように突起体２２ａの該感圧センサが人体肩部上面からの一定の圧力を感知した直後に、必要に応じて上方に一定の距離を移動させてもよい。
【００５５】
また図８に示すように、前記突起体２２ａに設けた前記膨縮袋４ａの施療または保持の最中に、側壁部２ａに対して突起体２２ａを前記突起体可動部２２１ａにより動かすならば、人体に対する施療感や保持感を調節する事ができる。
【００５６】
更に、前記側壁部２ａに対する前記突起体２２ａの移動をモータなどで可動する前記突起体可動部２２１ａによって行うと共に、一定の周期において上下移動を繰り返すならば、さらに新たな施療感または保持感をもたらす事になる。
【００５７】
図８の構成の場合も、前記左右の突起体２２ａに設けた前記膨縮袋４ａによる施療や保持を行わない場合は、該突起体２２ａが肩部に当接しないように最上部に位置させて収納状態にしておく事ができるようにしている。
【００５８】
図９乃至図１３の構成は、前記側壁部２ａに対して前記突起体２２ａを突起体可動部２２１ａにより幅方向に回動移動させるようにしたものである。すなわち、突起体２２ａの前記膨縮袋４ａによる施療または保持を行う場合は、該左右の突起体２２ａの各先端が向かい合うようにし、膨縮袋４ａによる施療または保持を行わない場合は、突起体２２ａが側壁部２ａと直線上に位置するようにして収納状態にする事ができる。尚、突起体可動部２２１ａは前述の構成と同じく手動及び自動を問わない。また図１０及び図１１の構成は、突起体可動部２２１ａを前記空気給排装置４１ａから給排気される空気により膨縮する膨縮袋としたものであり、前記膨縮袋４ａと同じ動力源を使用するので構造の簡素化を図れる。
【００５９】
前記左右の突起体２２ａの適正な高さ位置の調節が自動的になされるようにするため、突起体２２ａの適所に前述したような感圧センサ（図示せず）を設けてもよい。また、前述したように突起体２２ａの該感圧センサが人体肩部上面からの一定の圧力を感知した直後に、必要に応じて上方に一定の距離を移動させてもよい。
【００６０】
また図９及び図１１に示すように、前記突起体２２ａに設けた前記膨縮袋４ａの施療または保持の最中に、側壁部２ａに対して突起体２２ａを前記突起体可動部２２１ａにより動かすならば、人体に対する施療感や保持感を調節する事ができるし、更に、側壁部２ａに対する突起体２２ａの移動をモータなどで可動する前記突起体可動部２２１ａによって行うと共に、一定の周期において左右回動移動を繰り返すならば、さらに新たな施療感または保持感をもたらす事になる。
【００６１】
図９乃至図１３の構成において、前記突起体２２ａが前記側壁部２ａと直線上に位置する場合、前述したように突起体２２ａの収納状態となるのだが、これに限らずその状態で突起体２２ａ及び側壁部２ａの前記各膨縮袋４ａによって、施療者の側面や前面を施療または保持するようにしてもよい。その場合、側壁部２ａは最下部まで降下させておき、突起体２２ａの膨縮袋４ａを上腕または肩部の側面に位置するようにする。このようにして、突起体２２ａ及び側壁部２ａの全ての各膨縮袋４ａによって、施療者の上腕または肩部の側面や前面を施療または保持する事ができる。
【００６２】
更に、上記の状態から前記側壁部２ａを上昇させる場合、前記突起体２２ａ及び側壁部２ａの各膨縮袋４ａの位置は変更されると共に、突起体２２ａは、施療者の肩上面付近にまで移動する事になるが、前述したように突起体２２ａの適所に感圧センサを設けて、一定の圧力を感知するまで前記突起体可動部２２１ａによる突起体２２ａの人体方向への可動を常時行うようにしておく事により、突起体２２ａは側壁部２ａを上昇させても施療者の肩部のラインに沿って、肩部上面の適正な位置にくるまで回動移動を自動的に行うのである。
【００６３】
すなわち、これまで施療者の上腕または肩部の側面や前面から一定の圧力を感知していた前記突起体２２ａの前記感圧センサは、施療者の肩上面付近に差し掛かってさらに上方へ移動する事に伴い圧力を感知しなくなるのだが、一定の圧力を感知するまで突起体２２ａは人体方向への可動を行って人体に当接しようとし、該当接において再び一定の圧力を感知した時点で突起体可動部２２１ａの動作を停止させる構成となっている。
【００６４】
尚、図１２及び図１３に示す構成は、前記突起体２２ａにおける前記膨縮袋４ａの施療または保持を行わない場合に、突起体２２ａを前記側壁部２ａの外側面に収納するものであり、図１３に示す突起体２２ａの膨縮袋４ａの使用状態と比べて、図１２に示す不使用状態は、側壁部２ａの長さ方向においてコンパクトになり、突起体２２ａにおける施療または保持を所望しない施療者に対して、不必要に狭小感を与えないようにする事ができる。
【００６５】
前記施療機１ａの操作を行うため、図３に示すように、リモートコントローラ等の操作部５ａを前記左右の腕保持部１５ａの片側上方位置に備えており、該操作部５ａによって、主電源の入切、前記施療子施療機構３ａや前記空気給排装置４１ａ及び各前記膨縮袋４ａによる施療の種類や強度等の選択、また、前記背当て部１２ａのリクライニングや前記足載せ部１３ａの上下動の調節、前記側壁部２ａに対する前記突起体２２ａの回動移動等、施療機１ａのほとんどの機能に対する操作を行うようにしている。尚、操作部５ａの操作は、図示しないが、液晶画面等の操作表示部や操作ボタンまたはダイヤル等の操作指示部等で行うようにしてもよい。
【００６６】
更に、前記操作部５ａによる前記施療機１ａの操作に伴う制御は、電子制御であり、また、予めプログラムされたデータに基づく動作や、施療者が任意に入力したプログラムデータに基づいて動作するようにしてもよい。
【００６７】
また、前記左右の側壁部２ａは、前記背当て部１２ａの左右両側に固設したものを上記図面で示したが、その他の形態として、側壁部２ａを背当て部１２ａの左右両側から連続的に形成したものであってもよい。
【００６８】
前記施療機１ａに関しては、これまで主に椅子型のものを示したが、これに限らず、例えば他に少なくとも施療者の臀部または大腿部が当接する座部と人体背部が当接する背当て部を設けてなるマット型やベッド型にも上記の構成を適用する事ができ、そのような形態の場合は、施療者の背中が当接する背当て部の左右両側に夫々前述した側壁部２ａ・２ａを設ける事ができる。
【符号の説明】
【００６９】
１ａ 施療機
１１ａ 座部
１２ａ 背当て部
１３ａ 足載せ部
１４ａ 肘掛け部
１５ａ 腕保持部
２ａ 側壁部
２１ａ 側壁可動部
２１１ａ 可動用膨縮袋
２２ａ 突起体
２２１ａ 突起体可動部
３ａ 施療子施療機構
３１ａ 施療子
３２ａ ガイドレール
４ａ 膨縮袋
４１ａ 空気給排装置
５ａ 操作部
【図１】
2011115657.tif 000003
【図２】
2011115657.tif 000004
【図３】
2011115657.tif 000005
【図４】
2011115657.tif 000006
【図５】
2011115657.tif 000007
【図６】
2011115657.tif 000008
【図７】
2011115657.tif 000009
【図８】
2011115657.tif 000010
【図９】
2011115657.tif 000011
【図１０】
2011115657.tif 000012
【図１１】
2011115657.tif 000013
【図１２】
2011115657.tif 000014
【図１３】
2011115657.tif 000015
【図１４】
2011115657.tif 000016